(57)【特許請求の範囲】
【請求項１】
複数件分の音声データが格納されるファイルが複数設定され、これら複数のファイルの中の一がシークレットファイルに割り当てられた記録媒体と、
上記ファイル内に音声データを格納することによって上記記録媒体に音声データを記録する記録手段と、
上記記録媒体の上記ファイル内に格納された各音声データを読み出して再生する再生手段と、
上記記録媒体の上記シークレットファイルに対して、パスワードを要求するシークレットにするか否かについての設定を行うシークレット設定手段と、
上記各手段を制御する制御手段と、
上記制御手段に指示を与える指示入力手段とを備え、
上記制御手段は、上記シークレット設定手段によって上記シークレットファイルをシークレットにする旨の設定がなされた場合に、上記指示入力手段からのパスワードの入力待ち状態になるとともに、当該パスワードが入力された場合にこのパスワードを記憶し、当該パスワードが再び上記指示入力手段によって入力されるまで上記シークレットファイルに格納された各音声データの再生を禁止するように上記再生手段を制御し、
上記シークレットファイルをシークレットにする旨の設定がされているときに、このシークレットファイルが選択され、上記指示入力手段から上記パスワードが入力されることで、上記シークレットファイル内の各音声データの再生を行うことができるようにし、
パスワードが再び上記指示入力手段によって入力されたことにより上記シークレットファイルに格納された各音声データの再生が可能な状態となった場合であっても、上記指示入力手段からの指示が与えられないまま所定時間が経過した場合には、さらに当該パスワードが上記指示入力手段によって再度入力されるまで当該ファイルに格納された各音声データの再生を禁止するように上記再生手段を制御し、
上記シークレット設定手段によって上記シークレットファイルをシークレットにする旨の設定がなされている場合において、上記音声データを上記シークレットファイルに記録するとき、上記シークレットファイルに格納されている音声データの件数を表示手段に表示しないようにすることを特徴とする携帯型記録再生装置。
【請求項２】
上記シークレットファイル以外のファイルに格納されている音声データを上記シークレットファイルに移動させる音声データ移動手段を備えることを特徴とする請求項１記載の携帯型記録再生装置。
【請求項３】
上記シークレットファイルに格納されている音声データを上記シークレットファイル以外のファイルに移動させる音声データ移動手段を備えることを特徴とする請求項１記載の携帯型記録再生装置。
【発明の詳細な説明】
【０００１】
【発明の属する技術分野】
本発明は、他人に知られたくない情報を記録した場合における所謂シークレット機能を備えた携帯型記録再生装置に関する。
【０００２】
【従来の技術】
従来より、記録媒体に対してデータの記録再生を行う記録再生装置においては、他人に知られたくない情報を記録した場合に、パスワードの入力を条件として当該情報の再生を行う所謂シークレット機能が備えられている場合が多い。例えば、文字情報等の記録及び再生を行うワードプロセッサーやいわゆる電子手帳等の個人情報を扱う機器においては、上述のシークレット機能が備えられているものが一般的である。
【０００３】
【発明が解決しようとする課題】
しかしながら、従来の記録再生装置におけるシークレット機能の多くは、使い難いものが非常に多かった。例えば、従来の記録再生装置におけるシークレット機能は、データ記録後に毎回シークレットについての設定操作をしなければならないものが多かった。しかし、通常は、これから記録しようとする情報が他人に知られても構わない内容かそうでない内容であるかは、記録媒体に格納する前に既に明らかである場合が多い。そのため、当該情報を記録媒体に格納した後に更にシークレットに関する操作を行うのは、二度手間となり操作が煩雑となる。
【０００４】
また、従来の記録再生装置におけるシークレット機能は、記録した情報を再生する際にも、パスワードが設定されている情報の再生にあたり、当該情報を再生するたびにパスワードを入力しなければならないものが一般的だったため、このような操作も不便であり、特にパスワードが設定されている情報を複数件分続けて再生したい場合などには、非常に煩わしい操作を要した。
【０００５】
さらに、従来の記録再生装置におけるシークレット機能は、シークレットにしたい情報に対して１件ずつ個別にパスワードを設定するため、１件毎に異なるパスワードを設定した場合には、その管理が非常に煩雑となった。
【０００６】
本発明は、上述した従来の実情に鑑みて提案されたものであり、シークレット機能の操作性の向上が図られた携帯型記録再生装置を提供することを目的とする。
【０００７】
【課題を解決するための手段】
本発明に係る携帯型記録再生装置は、上述の課題を解決するため、複数件分の音声データが格納されるファイルが複数設定され、これら複数のファイルの中の一がシークレットファイルに割り当てられた記録媒体と、上記ファイル内に音声データを格納することによって上記記録媒体に音声データを記録する記録手段と、上記記録媒体の上記ファイル内に格納された各音声データを読み出して再生する再生手段と、上記記録媒体の上記シークレットファイルに対して、パスワードを要求するシークレットにするか否かについての設定を行うシークレット設定手段と、上記各手段を制御する制御手段と、上記制御手段に指示を与える指示入力手段とを備える。上記制御手段は、上記シークレット設定手段によって上記シークレットファイルをシークレットにする旨の設定がなされた場合に、上記指示入力手段からのパスワードの入力待ち状態になるとともに、当該パスワードが入力された場合にこのパスワードを記憶し、当該パスワードが再び上記指示入力手段によって入力されるまで上記シークレットファイルに格納された各音声データの再生を禁止するように上記再生手段を制御し、上記シークレットファイルをシークレットにする旨の設定がされているときに、このシークレットファイルが選択され、上記指示入力手段から上記パスワードが入力されることで、上記シークレットファイル内の各音声データの再生を行うことができるようにする。
更に、パスワードが再び上記指示入力手段によって入力されたことにより上記シークレットファイルに格納された各音声データの再生が可能な状態となった場合であっても、上記指示入力手段からの指示が与えられないまま所定時間が経過した場合には、さらに当該パスワードが上記指示入力手段によって再度入力されるまで当該ファイルに格納された各音声データの再生を禁止するように上記再生手段を制御する。
更に、上記シークレット設定手段によって上記シークレットファイルをシークレットにする旨の設定がなされている場合において、上記音声データを上記シークレットファイルに記録するとき、上記シークレットファイルに格納されている音声データの件数を表示手段に表示しないようにする。
【０００８】
以上のような、本発明に係る携帯型記録再生装置によれば、制御手段が、シークレットファイルにシークレット設定手段によってシークレットにする旨の設定がなされた場合に、指示入力手段からのパスワードの入力待ちの状態になるとともに、パスワードが入力された場合にこのパスワードを記憶し、当該パスワードが再び指示入力手段によって入力されるまでシークレットファイルに格納された各データの再生を禁止するように再生手段を制御する。また、シークレットファイルをシークレットにする旨の設定がされているときに、このシークレットファイルが選択され、指示入力手段から上記パスワードが入力されることで、シークレットファイル内の各音声データの再生を行う。
また、制御手段は、パスワードが再び上記指示入力手段によって入力されたことによりシークレットファイルに格納された各音声データの再生が可能な状態となった場合であっても、指示入力手段からの指示が与えられないまま所定時間が経過した場合には、さらにパスワードが指示入力手段によって再度入力されるまでファイルに格納された各音声データの再生を禁止するように再生手段を制御する。また、シークレット設定手段によってシークレットファイルをシークレットにする旨の設定がなされている場合において、音声データをシークレットファイルに記録するとき、シークレットファイルに格納されている音声データの件数を表示手段に表示しないようにする。
【０００９】
【発明の実施の形態】
本発明に係る記録再生装置の実施の形態について、図面を参照しながら詳細に説明する。なお、以下に説明する実施の形態では、記録媒体としての半導体メモリにマイクロホーンからの音声信号を音声データに変換して書き込み、また、この半導体メモリに記憶されている音声データを読み出し、スピーカから音声データに基づく音を出力するＩＣレコーダに、本発明の記録再生装置を適用している。このＩＣレコーダは、ユーザがメモ用紙等に所定の事項を書き記す代わりに、口頭で必要事項を音声データとして記憶させておくことができるものである。
【００１０】
図１に示すように、このＩＣレコーダ１は、マイクロホーン１１からの音声信号を音声データに変換して半導体メモリ９に格納する記録部１０と、上記半導体メモリ９に記憶されている音声データを読み出し、音声信号に変換してスピーカ２４を駆動する再生部２０と、記録部１０等を制御する制御部３０と、動作状態や操作手順等を表示するための表示部４０と、ユーザーが各種操作を行うことにより制御部３０に指示を与える操作部５０とを備える。
【００１１】
記録部１０は、マイクロホーン１１からの音声信号を増幅する増幅器１２と、増幅器１２で増幅された音声信号のレベルを適切なレベルとする自動利得制御回路（Automatic Gain Controller、以下ＡＧＣという。）１３と、ＡＧＣ１３からの音声信号を音声データに変換するエンコーダ１４と、エンコーダ１４からの音声データを一時蓄積するバッファメモリ１５とを備える。
【００１２】
記録部１０においては、マイクロホーン１１が入力される音を音声信号に変換して増幅器１２に供給し、増幅器１２が音声信号を増幅してＡＧＣ１３に供給する。そして、ＡＧＣ１３は、増幅器１２で増幅された音声信号を、そのレベルが適切なレベルとなるように増幅してエンコーダ１４に供給する。
【００１３】
エンコーダ１４は、音声信号が時間的に相関が強いことから、例えば適応型差分パルスコードモジュレーション（Adaptive Differential Pulse Code Modulation、以下ＡＤＰＣＭという。）により、少ないデータ量で音声信号を符号化して音声データを生成し、この音声データをバッファメモリ１５に供給する。
【００１４】
バッファメモリ１５は、エンコーダ１４から供給される音声データを一時蓄積して半導体メモリ９に供給する。
【００１５】
半導体メモリ９は、例えば電気的消去形（エレクトリカル・イレーザブル）プログラマブル・リード・オンリ・メモリ（Electrical Erasable/Programmable Read-Only Memory、以下ＥＥＰＲＯＭという。）等の、メモリの駆動電源がＯＦＦの状態にされても記憶素子の持つ記憶内容が消えないで保持される不揮発性のフラッシュメモリにより構成されている。この半導体メモリ（以下、フラッシュメモリという。）９は、例えば４Ｍ×８ビットの記憶容量を有し、バッファメモリ１５から供給される音声データをデータ領域９ａ内に記憶すると共に、各音声データのインデックス番号，格納領域，格納された時刻等につき管理する管理情報（以下、ＴＯＣ情報という。）を管理領域（以下、ＴＯＣという。）９ｂ内に記憶することにより、所定帯域の音声信号に対応した音声データを最大約２４分間記憶できるようになっている。なお、フラッシュメモリ９には複数のファイルが設定されており、ＩＣレコーダ１においては、これら各ファイル内にそれぞれ上記音声データを複数件分格納することにより、上記データ領域９ａ内に音声データが最大９９件まで記憶できるようになっている。そして、音声データの記録時には、上記ＴＯＣ９ｂに音声データがいずれのファイル内に格納されたかについての情報もＴＯＣ情報として記憶する。
【００１６】
ここで、ファイルとは、上述のように複数件分の音声データを格納するためのものであり、ここではパーソナルコンピュータで用いるディレクトリあるいはフォルダの概念に相当するものである。そして、この実施の形態では、５種類のファイルが設定されている。さらに、ＩＣレコーダ１においては、これら各ファイルうちの１つのファイルがプライベートな情報を格納するためのシークレットファイルに割り当てられている。なお、このシークレットファイルについての詳細は後述する。
【００１７】
一方、再生部２０は、図１に示すように、フラッシュメモリ９のデータ領域９ａから読み出された音声データを音声信号に変換するデコーダ２１及びフィルタ２２と、フィルタ２２からの音声信号を増幅してスピーカ２４に供給する増幅器２３とを備える。
【００１８】
デコーダ２１は、記録部１０のエンコーダ１４に対応したものであり、上記データ領域９ａから読み出された音声データ、すなわちＡＤＰＣＭ方式で符号化された音声データを復号化して、いわゆるＰＡＭ信号を生成する。フィルタ２２は、このＰＡＭ信号から音声帯域以上の高周波成分を除去して、音声信号を出力する。増幅器２３は、フイルタ２２から供給される音声信号を増幅してスピーカ２４を駆動する。かくして、録音された音がスピーカ２４から出力される。
【００１９】
制御部３０は、このＩＣレコーダ１の動作を制御するためのプログラムが記憶されているＲＯＭ３１と、ＲＯＭ３１に記憶されているプログラムを実行して、各ブロックを制御するマイクロコンピュータ（以下、ＣＰＵという。）３２と、時刻やプログラムの実行結果等を一時的に記憶するランダム・アクセス・メモリ（Random Access Memory、以下ＲＡＭという。）３４とを備える。
【００２０】
表示部４０は、ＩＣレコーダ１の動作状態や音声データの格納状態等を制御部３０からの制御信号に基づいて表示するものであり、液晶表示パネル４１と、この液晶表示パネル４１を照明するためのバックライト４２とが備えられている。
【００２１】
操作部５０は、音声の記録／再生やそれに関する様々の設定を行う場合に制御部３０に種々の入力信号を供給して制御部３０に指示を与えるものである。操作部５０には、記録／再生時にユーザーが操作するための後述する各種の操作ボタンや操作スイッチ，及びジョグダイヤルが備えられている。そして、ＩＣレコーダ１においては、これら各操作ボタン／スイッチ，及びジョグダイヤルからの種々の入力信号が制御部３０に供給されるようになっている。
【００２２】
制御部３０のＣＰＵ３２は、操作部５０からの入力信号を検出した場合、その入力信号に対応したプログラムをＲＯＭ３１から読み出して実行し、各ブロックを制御する。例えば後述する録音開始ボタンからの入力信号を検出すると、ＣＰＵ３２は、録音に対応したプログラムをＲＯＭ３１から読み出して実行し、増幅器１２、ＡＧＣ１３、エンコーダ１４、表示部４０等を動作させ、バッファメモリ１５で一時蓄積された音声データを、上記いずれかのファイル内に格納することによって、フラッシュメモリ９におけるデータ領域９ａの空いている領域に記録するとともに、当該音声データに関するＴＯＣ情報をフラッシュメモリ９のＴＯＣ９ｂに書き込む制御を行う。また、音声データの再生の際には、ＣＰＵ３２は、再生に対応したプログラムをＲＯＭ３１から読み出して実行し、デコーダ２１、フィルタ２２、増幅器２３、表示部４０等を動作させ、フラッシュメモリ９のＴＯＣ９ｂに格納されたＴＯＣ情報を参照することにより、データ領域９ａの所定アドレスに格納されている音声データを読み出してスピーカ２４に出力する制御を行う。
【００２３】
ＣＰＵ３２は、このようにフラッシュメモリ９に対する音声データの書き込み及び読み出しを制御しており、例えば上記各ファイル内に音声データを９９件まで格納できるように設定しておき、それぞれを識別するインデックス番号を付けてフラッシュメモリ９のＴＯＣ９ｂに書き込む制御を行う。このインデックス番号は、最初に記録された音声データのインデックス番号が０１、次に記録された音声データのインデックス番号が０２・・・・というように、記録された順に大きくなってゆく。
【００２４】
また、ＣＰＵ３２は、再生時には、ＴＯＣ９ｂに書き込まれたこのインデックス番号に基づいて、データ領域９ａからインデックス番号の小さい順に対応する音声データを読み出す制御を行う。
【００２５】
さらに、ＣＰＵ３２には、図２に示すように、初期設定変更部３５とＴＯＣ書換え部３６とが備えられている。ＣＰＵ３２のこの初期設定変更部３５は、上記操作部５０からの入力信号に基づいて上記ＲＯＭ３１に記憶されているプログラムの初期設定を変更するものであり、具体的には、記録及び／又は再生に関して設けられているアラーム、タイマー、ビープ音、マイクロホーン１１の感度等の種々の機能における設定の変更を行う。また、初期設定変更部３５は、割り当てられた上記シークレットファイルに対して、シークレットにするか否か、すなわちシークレット機能のＯＮ／ＯＦＦについての設定を行う。
【００２６】
また、ＣＰＵ３２のＴＯＣ書換え部３６は、初期設定変更部３５によって変更された結果に基づいて、必要に応じてフラッシュメモリ９のＴＯＣ９におけるＴＯＣ情報を書き換える処理を行う。なお、初期設定変更部３５によって変更された結果のうち、上記ＴＯＣ情報を書き換える必要がないものについては、ＣＰＵ３２の上記ＲＡＭ３４に記憶される。例えば、この実施の形態では、初期設定変更部３５によって設定された上記シークレットファイルに対してのシークレットにするか否かについての結果は、上記ＲＡＭ３４に記憶されるようになっている。
【００２７】
なお、ＣＰＵ３２は、音声データの記録／再生時あるいは初期設定の変更等の動作時以外の停止状態時には、所謂スリープモードに移行し、消費電力を最小限に抑えるとともに、ＲＡＭ３４に記憶された各種データが消滅しないように制御する。
【００２８】
図３はＩＣレコーダ１の外観を概略的に表したものである。図３に示すこのＩＣレコーダ１は、携帯用であり、手のひらで把持できる大きさに構成された外装筐体２の内部に、上述した記録部１０、再生部２０等の電気回路が実装されたプリント基板（図示せず）が配設されている。また、この外装筐体２の主面部２ａには、上述した液晶表示パネル４１及びスピーカ２４が配設されている。
【００２９】
そして、ＩＣレコーダ１は、外装筐体２の主面部２ａ及び各側面部に、操作部５０を構成する各種操作ボタン／スイッチ５１〜５７等、及びジョグダイヤル６０が配設されている。これにより、ＩＣレコーダ１においては、左手で把持しながら操作できるようになっており、通常ユーザーが右手で行う筆記等の作業と併用して使用することができる。
【００３０】
ここで、操作ボタンとしては、図３に示すように、ファイル（ＦＩＬＥ）ボタン５１と、メニュー（ＭＥＮＵ）ボタン５２と、プライオリティ（ＰＲＩＯＲＩＴＹ）ボタン５３と、録音等を停止するための停止（ＳＴＯＰ）ボタン５４と、録音を開始するための上述の録音開始（ＲＥＣ）ボタン５５と、フラッシュメモリ９に記憶されている音声データを消去するための消去（ＥＲＡＳＥ）ボタン５６とがそれぞれ外装筐体２の主面部２ａに配設されている。また、操作スイッチとしては、外装筐体２の左側面部２ｂのやや下側にスライド型のホールドスイッチ５７が取り付けられている。なお、操作部５０には、再生音の大きさを調整するボリューム、イヤホーンジャック等が含まれ、図示しないが、それぞれ外装筐体２の側面部に備えられている。
【００３１】
ファイルボタン５１は、音声データの記録／再生の際において上記５つのファイルについて切り換えるためのボタンである。ＩＣレコーダ１においては、液晶表示パネル４１にそれぞれ異なったアイコンを表示させることによって各ファイルの識別が出来るようになっている。これにより、ＩＣレコーダ１では、いずれのファイルに対して音声データを格納するか、またはいずれのファイルに格納された音声データを再生するかが一目で分かるようになっている。
【００３２】
ここで、液晶表示パネル４１には、例えば図４に示すように、５つのファイルについてのアイコン７１，７２，７３，７４，７５のいずれか１つを選択的に表示するアイコン表示部７０と、上記いずれかのファイル内に格納された各音声データについての情報を示す音声データ表示部８０と、初期設定状態や操作等に関する種々の文字情報を表示する文字情報表示部９０とが備えられている。なお、図示しないが、液晶表示パネル４１は、この他にも各音声データの記録或いは再生時間、現在の日付及び時刻、記録中或いは再生中である旨、電源の残量、及び動作状態や操作等に関する種々の情報を表示するようになっている。
【００３３】
アイコン表示部７０に表示される各アイコンは、例えばアイコン７１が行動用の音声データを格納するファイルに対応し、アイコン７２がスケジュール用の音声データを格納するファイルに対応し、アイコン７３が第１のメモ用の音声データを格納するファイルに対応し、アイコン７４が第２のメモ用の音声データを格納するファイルに対応する。そして、ＩＣレコーダ１においては、鍵状のアイコン７５が他人に知られたくないプライベートな音声データを格納するシークレットファイルに対応している。ＩＣレコーダ１においては、このように用途別に複数のファイルを設定し、それぞれのファイル内に音声データを格納することによって、用途に応じた音声データの整理ができるようになっている。
【００３４】
なお、このアイコン７５に対応するシークレットファイルは、初期状態では他の４つのファイルと同様の、所謂オープンファイルの状態になっており、音声データの格納、再生、及び他の４つのファイルとの間における音声データのコピー、移動等がパスワードの設定、入力を要することなく自由にできるようになっている。そして、ＩＣレコーダ１では、この初期状態に対して、詳細を後述する初期状態の変更の操作を行うことによって、このアイコン７５に対応するシークレットファイルにシークレット機能を付与する（ＯＮにする）設定を行うことができるようになっている。
【００３５】
一方、音声データ表示部８０には、音声データのインデックス番号についての表示が行われるようになっており、具体的には、分子分母がそれぞれ２桁の整数による分数で表示が行われる。ここで、音声データ表示部８０に表示される分母の数がアイコン表示部７０に表示されたアイコンに対応するファイルに格納された音声データの件数を、分子の数が現在再生している或いは即座に再生可能な状態にある音声データのインデックス番号をそれぞれ表している。
【００３６】
また、文字情報表示部９０には、初期設定状態や操作等に関する種々の文字情報が例えば１０文字まで表示できるようになっている。
【００３７】
なお、図３に示すＩＣレコーダ１においては、液晶表示パネル４１のアイコン表示部７０には上述したシークレットファイルを示すアイコン７５が表示され、音声データ表示部８０には分数「０２／３７」が表示され、さらに文字情報表示部９０には何も文字が表示されていない。この場合は、シークレットファイルが上述したオープンファイルの状態であって、このファイル内に３７件の音声データが格納されており、そのうちのインデックス番号０２の音声データについて再生している状態または再生待機状態であることを示している。
【００３８】
メニューボタン５２は、ＩＣレコーダ１の初期設定を表示あるいは変更等させるために押されるボタンである。
【００３９】
プライオリティボタン５３は、各音声データに対して再生順についてのプライオリティ（優先度）を設定するためのボタンである。ＩＣレコーダ１では、このプライオリティボタン５３が押されると、対象となる音声データのプライオリティの値の変更が可能となり、この値が変更された場合にそれに応じてフラッシュメモリ９のＴＯＣ９ｂに記載されたインデックス番号がＣＰＵ３２のＴＯＣ書換え部３６によって書き換えられる。具体的には、ＩＣレコーダ１では、プライオリティの値が０，１，２，３の４段階に設定されており、このプライオリティの値が大きい音声データであるほど重要なデータとして優先的に再生するようにインデックス番号が変更されるようになっている。
【００４０】
消去ボタン５６は、フラッシュメモリ９に記憶されている音声データを消去するためのボタンである。ＩＣレコーダ１にいては、消去したい音声データの属するファイルを指定し、そのファイル内の消去対象となる音声データを再生させながら、或いは当該音声データの再生待機状態でこの消去ボタン５６を押圧することにより消去が行われるようになっている。
【００４１】
ホールドスイッチ５７は、ＩＣレコーダ１の動作または停止状態を保持するためのスイッチである。ＩＣレコーダ１は、このホールドスイッチ５７がオンになっている場合には、各操作ボタン５１〜５６、ジョグダイヤル６０等の操作を受け付けない状態となる。
【００４２】
そして、ＩＣレコーダ１においては、外装筐体２の左側面部２ｂの上部側に形成された切欠部２ｃからジョグダイヤル６０の一部が露呈されている。このジョグダイヤル６０は、回転中心軸６２を備えた円板状の回転操作部材６１及びこの回転操作部材６１に取り付けられた図示しない電極等を有しており、これら大部分の構成部材が外装筐体２内に収納され、回転操作部材６１の一部が上記切欠部２ｃから外方を臨んでいる。そして、ジョグダイヤル６０の回転操作部材６１は、回転中心軸６２を中心として図３に示すＡ及びＢ方向に回転可能となっている。
【００４３】
さらに、ジョグダイヤル６０の回転操作部材６１は、その回転中心軸６２が外装筐体２内で図３に示すＸ及びＹ方向に移動可能となっており、通常の状態では図示しないバネによりＹ方向に付勢されている。従って、ジョグダイヤル６０の回転操作部材６１は、ユーザの操作によって、上記ＡＢ方向に回動させることができるとともに、回転中心軸６２と直交するＸ方向に押圧できるようになっている。
【００４４】
そして、ジョグダイヤル６０は、この回転操作部材６１がＡＢ方向に回動操作されることにより、回動角度及び回動の速度に応じた入力信号を制御部３０に供給するとともに、Ｘ方向に押圧操作されることにより、押圧時間に応じた入力信号を制御部３０に供給するようになっている。具体的には、ＩＣレコーダ１においては、ＣＰＵ３２が回転操作部材６１の回動方向，回動角度，及び回動速度を検出し、または回転操作部材６１の押圧がなされたか否か、さらにはその押圧が一定時間を超えたか否かを検出することにより、それぞれの結果に応じたプログラムをＲＯＭ３１から読み出して実行し、図１に示す各ブロックを制御することになる。
【００４５】
ジョグダイヤル６０は、再生時における種々の動作を行わせるため或いは上述した初期設定を変更するため等、種々の場合に操作されるものであり、使用頻度の高いものである。そのため、ジョグダイヤル６０は、上述のような位置に配設されることにより、ユーザが左手で外装筐体を把持した場合にその親指だけで回動及び押圧操作ができるようになっている。なお、説明の便宜のため、以下ではジョグダイヤル６０における回転操作部材６１の回動／押圧を、単にジョグダイヤル６０の回動／押圧と言い替えて説明する。
【００４６】
次に、ＩＣレコーダ１において、初期設定を変更する場合の処理について図５等を参照して説明する。ＩＣレコーダ１の停止状態においてユーザーが例えばジョグダイヤル６０を回動させて所定の音声データのインデックス番号を選択してからメニューボタン５２を押圧すると、ＣＰＵ３２は、図２に示す初期設定変更部３５を駆動してメニューモードに移行する。そして、ＣＰＵ３２は、このメニューモードの開始時において、液晶表示パネル４１の文字情報表示部９０に「ＡＬＡＲＭ」の文字を表示させる。そして、ジョグダイヤル６０が例えば図３に示すＸ方向に回動されると、図５に示すように、文字情報表示部９０には「ＴＩＭＥＲ」，「ＳＥＣＲＥＴ」，「ＲＥＣ  ＭＯＤＥ」，「ＢＥＥＰ」，「ＶＯＲ」，「ＭＩＣ  ＳＥＮＣＥ」，「ＣＯＮＴＩＮＵＥ」，「ＬＩＧＨＴ」，「ＤＡＴＥ＆ＴＩＭＥ」の各文字がこの順に表示される。さらにジョグダイヤル６０がＸ方向に回動されると、再び「ＡＬＡＲＭ」，「ＴＩＭＥＲ」・・・が表示される。なお、ジョグダイヤル６０が逆のＹ方向に回動されると、「ＡＬＡＲＭ」，「ＤＡＴＥ＆ＴＩＭＥ」，「ＬＩＧＨＴ」・・・と上述と逆の順番で表示される。
【００４７】
ここで、例えば「ＡＬＡＲＭ」が液晶表示パネル４１の文字情報表示部９０に表示されているときにジョグダイヤル６０が図３に示すＸ方向に押圧されると、ＣＰＵ３２は、ジョグダイヤル６０からの入力信号を検知し、既に選択されたインデックス番号についての音声データを所定の時刻に再生するための設定を行うアラーム設定モードに移行する。
【００４８】
「ＴＩＭＥＲ」が文字情報表示部９０に表示されているときにジョグダイヤル６０が上記Ｘ方向に押圧されると、ＣＰＵ３２は、タイマー設定モードに移行する。このタイマー設定モードは、所定の時間を設定することにより、この所定時間経過後に所望の音声データを再生させるタイマーの設定を行うためのモードである。
【００４９】
「ＳＥＣＲＥＴ」が文字情報表示部９０に表示されているときにジョグダイヤル６０がＸ方向に押圧されると、ＣＰＵ３２は、シークレット設定モードに移行する。このシークレット設定モードでは、シークレットファイル内に格納する音声データの秘密性を保持するためのパスワードの設定、あるいはそれを解除するための設定等が行われることになる。なお、このシークレット設定モードにおける設定の詳細な内容については後述する。
【００５０】
「ＲＥＣ  ＭＯＤＥ」が文字情報表示部９０に表示されているときにジョグダイヤル６０がＸ方向に押圧されると、ＣＰＵ３２は、録音設定モードに移行する。この録音設定モードでは、エンコーダ１４をＳＰモード又はＬＰモードのいずれかに設定することにより、符号化する音声の帯域幅及びそれに伴う録音可能時間の切り換え設定が行われる。
【００５１】
「ＢＥＥＰ」が文字情報表示部９０に表示されているときにジョグダイヤル６０がＸ方向に押圧されると、ＣＰＵ３２は、ビープ音設定モードに移行する。このビープ音設定モードでは、例えば操作部５０のいずれかのボタンを押す毎にビープ音を鳴らすか鳴らさないかの切り換え設定等が行われる。
【００５２】
「ＶＯＲ」が文字情報表示部９０に表示されているときにジョグダイヤル６０がＸ方向に押圧されると、ＣＰＵ３２は、ＶＯＲ（Voice Operated Recording）設定モードに移行する。このモードでは、一定レベル以上の音声が検出された場合にのみ自動的に録音を行い、いわゆる無音時には録音を行わない上記ＶＯＲの機能を実行させるか否かの設定を行う。
【００５３】
「ＭＩＣ  ＳＥＮＣＥ」が文字情報表示部９０に表示されているときにジョグダイヤル６０がＸ方向に押圧されると、ＣＰＵ３２は、マイク感度設定モードに移行する。マイク感度設定モードでは、増幅器１２による増幅度のレベルがＨ（ハイ）／Ｌ（ロー）の２段階で切り換えられる。
【００５４】
「ＣＯＮＴＩＮＵＥ」が文字情報表示部９０に表示されているときにジョグダイヤル６０がＸ方向に押圧されると、ＣＰＵ３２は、連続再生設定モードに移行する。この連続再生設定モードでは、複数件分の音声データが録音されている場合に、これらの複数の音声データを連続して再生する上記連続再生を行うか、又はこれを行わずに音声データを１件再生する毎に停止させるかのいずれかを設定する。
【００５５】
「ＬＩＧＨＴ」が文字情報表示部９０に表示されているときにジョグダイヤル６０がＸ方向に押圧されると、ＣＰＵ３２は、ライト点灯設定モードに移行する。このモードでは、例えば操作部５０のいずれかのボタンが押圧された場合に１０秒間バックライト４２を点灯させたり、又は記録／再生の動作時においてのみバックライト４２を点灯させるといった設定ができる。
【００５６】
「ＤＡＴＥ＆ＴＩＭＥ」が文字情報表示部９０に表示されているときにジョグダイヤル６０がＸ方向に押圧されると、ＣＰＵ３２は、日付・時刻設定モードに移行する。日付・時間設定モードでは、例えば既に設定された時刻等を変更したいときに、年，月，日，及び時分の変更がジョグダイヤル６０の回動及び押圧操作によって行われる。
【００５７】
このように、上記各モードでは、文字情報表示部９０にそれぞれのモードに対応した文字情報が表示され、ジョグダイヤル６０の回動によってこの表示が切り換えられ、Ｘ方向への押圧によって文字情報表示部９０に表示された情報についての決定がなされる。そして、各モードにおけるそれぞれの設定が終了すると、ＣＰＵ３２は、初期設定変更部３５の駆動を停止させ、必要に応じて設定事項に関するデータを例えばＲＡＭ３４に記憶し、またはＴＯＣ書換え部３６を駆動してフラッシュメモリ９のＴＯＣ９ｂのＴＯＣ情報を書き換えた後に停止状態に戻る。
【００５８】
次に、上記シークレット設定モードにおける処理の詳細について説明する。このＩＣレコーダ１においては、シークレット設定モードになると、図６に示すように、文字情報表示部９０に「ＯＦＦ」の文字が表示される。そして、この状態でジョグダイヤル６０がいずれかの方向に回転されると、ＣＰＵ３２は、この表示が「ＯＮ」、「ＯＦＦ」、「ＯＮ」・・・・と切り替わるように表示部４０を制御する。そして、「ＯＮ」が表示されている状態でジョグダイヤル６０がＸ方向に押圧されると、ＣＰＵ３２は、シークレット機能をオンにするためのシークレットＯＮモードに移行する。一方、「ＯＦＦ」が表示されている状態でジョグダイヤル６０がＸ方向に押圧されると、ＣＰＵ３２は、当該シークレット機能を解除するためのシークレットＯＦＦモードに移行する。
【００５９】
ＣＰＵ３２は、シークレットＯＮモードに移行すると、図６下段に示すように、パスワードが既に設定されているか否かについて判定する。ＹＥＳすなわち既に設定済みの場合には、ＣＰＵ３２は、シークレット機能が既にＯＮの状態であり処理の必要なしとして停止状態に移行する。一方、ＮＯすなわち未だパスワードが設定されていない場合は、ＣＰＵ３２は、パスワード入力モードに移行する。そしてＣＰＵ３２は、このパスワード入力モードで所定のパスワードが入力された時点で、このパスワードをＲＡＭ３４に記憶してシークレット機能をＯＮにする処理を行った後に停止状態に移行する。
【００６０】
一方ＣＰＵ３２は、シークレットＯＦＦモードに移行すると、図６上段に示すように、シークレット機能がＯＮの状態となっているか否かについて判断する。なお、この判断は、上述と同様にパスワードが既に設定されているか否かについて判定すればよい。
【００６１】
ＹＥＳすなわちシークレット機能がＯＮの状態となっている場合には、ＣＰＵ３２は、パスワード入力モードに移行して、既に設定されているパスワードが入力されるのを待つ入力待ち状態となる。そして、ＣＰＵ３２は、当該パスワードが入力された時点で、ＲＡＭ３４に記憶したパスワードを消去する処理、及びシークレット機能をＯＦＦにするシークレット解除に関する所定処理を行った後に停止状態に移行する。
【００６２】
一方、ＮＯすなわち未だパスワードが設定されておらずシークレット機能が既にＯＦＦの状態となっている場合には、ＣＰＵ３２は、処理の必要なしとして停止状態に移行する。
【００６３】
なお、ＣＰＵ３２は、上述のシークレットＯＮモード或いはシークレットＯＦＦモードでシークレット機能のＯＮ／ＯＦＦについて変更した場合は、例えばＲＡＭ３４にその旨のデータを記憶させておく。
【００６４】
次に、上述したパスワード入力モードにおいて行われる処理を図７を参照して説明する。パスワード入力モードにおいて、ＣＰＵ３２は、パスワードとして例えば４桁の数字による暗証番号をユーザーに入力させるようにする。具体的には、ＣＰＵ３２は、例えば「ＰＡＳＳ−ＩＮＰＵＴ」という文字を文字情報表示部９０に表示させて、上記暗証番号の入力待ち状態となる。ここで、ジョグダイヤル６０が回動されることにより、ＣＰＵ３２は、液晶表示パネル４１の例えば文字情報表示部９０に「０」，「１」，「２」，・・・・「９」，「０」，「１」・・・・と、１つの数字を順に表示させるように表示部４０を制御する。そして、特定の数字が表示されているところでジョグダイヤル６０がＸ方向に押圧されることにより、ＣＰＵ３２は、この数字を暗証番号の１桁目の数字として登録し、２桁目〜４桁目の数字についても上述と同様の処理によって登録する。そして、ＣＰＵ３２は、暗証番号の４桁をすべて登録した時点でパスワード入力モードの処理を終了させる。この際、ＣＰＵ３２は、当該暗証番号を例えばＲＡＭ３４に記憶させておく。
【００６５】
このような構成とされるＩＣレコーダ１においては、録音に先立ち、例えばファイルボタン５１を押すことにより、ＣＰＵ３２が各種ファイルに対応する図４に示すアイコン７１乃至７５のいずれか１つを液晶表示パネル４１のアイコン表示部７０に表示する処理を行う。ＣＰＵ３２は、ジョグダイヤル６０の回動に伴ってこのアイコンを順次アイコン表示部７０に表示するように制御する。そして、ジョグダイヤル６０を回動操作していずれかのアイコンを選択し、このジョグダイヤル６０を押圧操作することにより、当該アイコンが指定される。これにより、ＣＰＵ３２は、いずれのファイルに音声データを格納するかを決定する。
【００６６】
ここで、シークレットファイルを示すアイコン７５を選択した場合、シークレット機能がＯＮに設定されている場合には、ＣＰＵ３２は、液晶表示パネル４１の音声データ表示部８０に「−−／−−」を表示するように表示部４０を制御する。これにより、ＩＣレコーダ１においては、シークレットファイルに格納された音声データの件数等の情報を秘密にすることができる。
【００６７】
そして、ＩＣレコーダ１においては、録音開始ボタン５５が押された場合に録音開始状態となり、ここでユーザがマイクロホーン１１に向かって音声を発すると、フラッシュメモリ９におけるデータ領域９ａの指定されたアドレスから音声データの書き込みが開始される。そして、停止ボタン５４が押されることで、録音の処理が解除され、１件分の音声データが上記データ領域９ａに格納される。この際、ＣＰＵ３２の制御により、フラッシュメモリ９のＴＯＣ９ｂに、ＴＯＣ情報として先頭アドレス，インデックス番号，当該音声データが格納されるファイル（この場合はシークレットファイル），記録開始時刻，記録時間等についての種々の情報が記録される。
【００６８】
ＩＣレコーダ１においては、この録音終了後においてさらに続けて録音を行うことにより、９９件以内であれば続けて何件もの音声データをこのシークレットファイルに格納することが可能となる。このように、ＩＣレコーダ１においては、シークレット機能をＯＮの状態にした場合には、音声データの記録後にシークレット機能の設定操作をする必要がない。すなわち、予めパスワードの設定を１回だけ行うだけで、複数件分の音声データをシークレットファイルに格納することができる。
【００６９】
なお、シークレット機能がＯＦＦに設定されている場合には、上述のように他の４つのファイルと同様の処理がされることとなるため、ＣＰＵ３２は、録音開始ボタン５５が押された場合に、液晶表示パネル４１の音声データ表示部８０に例えば「３８／３８」を表示するように表示部４０を制御する。これにより、ＩＣレコーダ１においては、シークレットファイルには既に３７件の音声データが格納されており、これから３８件目の音声データを記録するという事実をユーザーに伝えることができる。
【００７０】
また、この場合でも、音声データの記録後にメニューボタン５２を押圧して図５及び図６で上述したシークレットＯＮの設定を行うことにより、このシークレットファイルに格納された３８件の音声データを一度の操作で他人に対して秘密にすることができる。
【００７１】
次に、ＩＣレコーダ１において、記録されている音声データを再生する場合には、録音時と同様に例えばファイルボタン５１が押されると、ＣＰＵ３２が各種ファイルに対応するアイコン７１乃至７５のいずれかを液晶表示パネル４１のアイコン表示部７０に表示する処理を行う。そして、ジョグダイヤル６０を回動操作していずれかのアイコンを選択し、このジョグダイヤル６０を押圧操作することにより当該アイコンが指定される。これにより、ＣＰＵ３２は、いずれのファイルに格納されている音声データを再生するかを決定する。この状態で、さらにジョグダイヤル６０をＸ方向に押圧した場合に、ＣＰＵ３２は、当該ファイルに格納されている音声データの再生を開始する処理を行う。
【００７２】
ここで、アイコン表示部７０にシークレットファイルに対応するアイコン７５を表示させた状態でジョグダイヤル６０を押圧操作すると、以下のように処理が行われる。すなわち、シークレット機能がＯＦＦの状態の場合は、上述のように他のファイルと同様の処理がされるため、ジョグダイヤル６０をＸ方向に押圧操作すると、ＣＰＵ３２は、パスワードの入力を要求することなく当該シークレットファイルに格納されている各音声データの再生を開始する処理を行う。
【００７３】
一方、シークレット機能がＯＮの状態の場合においてジョグダイヤル６０をＸ方向に押圧操作すると、ＣＰＵ３２は、図６で説明したパスワード入力モードに移行し、パスワードとして登録した４桁の暗証番号が入力されるまで当該シークレットファイルに格納されている音声データの再生処理を行わない。すなわち、この状態においては、パスワードが入力されるまでシークレットファイル内の音声データの再生が禁止される。そして、図７で説明したジョグダイヤル６０の回動及び押圧操作によってパスワードである４桁の暗証番号が入力された場合に、ＣＰＵ３２は、当該シークレットファイルに格納されている各音声データの再生を開始する処理を行う。
【００７４】
なお、この再生処理開始後においては、例えばジョグダイヤル６０が図３に示すＡ方向に回動操作されることにより、ＣＰＵ３２は、当該再生中の音声データの再生処理を中止して、次のインデックス番号の音声データを再生するように制御する。
【００７５】
また、この再生処理開始後において、例えば停止ボタン５４が押圧されることにより、ＣＰＵ３２は、当該再生中の音声データの再生処理を中止するように再生部２０を制御する。
【００７６】
さらに、ＩＣレコーダ１においては、この再生処理が中止された所謂停止状態において、各操作ボタン及びジョグダイヤル６０等の操作がなされないことにより操作部５０からの入力信号が所定時間検出されない場合には、ＣＰＵ３２は、再び上述したパスワード入力モードに移行して、上記４桁の暗証番号が再度入力されるまで当該シークレットファイルに格納されている音声データの再生処理を行わないように制御する。そして、図７で説明したジョグダイヤル６０の回動及び押圧操作によって４桁の暗証番号が再度入力された場合に、ＣＰＵ３２は、当該シークレットファイルに格納されている各音声データの再生を再び開始する処理を行う。ＩＣレコーダ１においては、ＣＰＵ３２がこのような処理を行うことにより、シークレット機能の強化が図られている。
【００７７】
以上のように、ＩＣレコーダ１においては、複数の音声データが格納可能なファイル全体に対してパスワードの設定を行うように構成したので、シークレットＯＮとなっているシークレットファイル内の音声データの再生にあたり、１回のパスワードの入力で複数の音声データを再生することができ、このため操作性が非常に優れたものとなっている。
【００７８】
一方、万一パスワードを忘れてしまった場合等のために、ＣＰＵ３２は、シークレットファイル内に格納された音声データを消去ボタン５６の操作により全て消去した場合に、ＲＡＭ３４に記憶していたパスワードを消去する処理を行う。これにより、ＩＣレコーダ１においては、図６で上述したシークレット解除のための操作とは別の操作によりシークレットを解除することができる。
【００７９】
さらに、ＩＣレコーダ１では、シークレットファイル以外のファイル内に格納された音声データを以下の操作によりシークレットファイル内に移動させることができるようになっている。ＩＣレコーダ１においては、シークレットファイル内の音声データの再生中にファイルボタン５１が押圧されることにより、ＣＰＵ３２が液晶表示パネル４１のアイコン表示部７０の表示を他のアイコンに切り換えるように表示部４０を制御する。具体的には、ＣＰＵ３２は、ファイルボタン５１の押圧回数に従って表示するアイコンがアイコン７１，アイコン７２，アイコン７３，アイコン７４，アイコン７１・・・・となるように表示部４０を制御する。そして、移動させたいファイルに対応したアイコンが表示されたときに例えばジョグダイヤル６０が押圧されることにより、ＣＰＵ３２は、ＴＯＣ書換え部３６を駆動してフラッシュメモリ９のＴＯＣ９ｂの内容を書き換えることにより、音声データのファイル間移動の処理を行う。この操作により、ＩＣレコーダ１においては、移動させたい音声データがシークレットファイル内に格納されるので、パスワードを入力することなく当該音声データを他人に聴かれない状態にすることが可能となる。
【００８０】
一方、ＩＣレコーダ１では、シークレットファイル内に格納された音声データを他のファイル内に移動させるには、予めパスワードの設定を解除してシークレット機能をオフの状態にしておくことが条件となっている。このような設定とすることにより、ＩＣレコーダ１においては、シークレットファイル内の音声データの秘密性を保持することができる。
【００８１】
【発明の効果】
以上詳細に説明したように、本発明に係る携帯型記録再生装置によれば、個々のデータに対してではなく、複数件分のデータが格納されるシークレットファイルに対してパスワードの設定を行うこととしたので、パスワードの設定を予め１回行っておけば通常の操作方法で複数件分の音声データを当該シークレットファイル内に格納することが可能となる。一方、この記録再生装置によれば、音声データの再生時においても、一度だけパスワードを入力すればシークレットファイル内のすべての音声データを再生することが可能となる。そのため、本発明に係る携帯型記録再生装置によれば、操作性及び使い勝手が大幅に向上する。
また、パスワードが再び上記指示入力手段によって入力されたことによりシークレットファイルに格納された各音声データの再生が可能な状態となった場合であっても、指示入力手段からの指示が与えられないまま所定時間が経過した場合には、さらにパスワードが指示入力手段によって再度入力されるまでファイルに格納された各音声データの再生を禁止するように再生手段を制御することで、シークレット機能の強化を図ることができる。
更に、シークレット設定手段によってシークレットファイルをシークレットにする旨の設定がなされている場合において、音声データをシークレットファイルに記録するとき、シークレットファイルに格納されている音声データの件数を表示手段に表示しないようにすることで、シークレットファイルに格納された音声データの件数等の情報を秘密にすることができる。
【図面の簡単な説明】
【図１】本発明を適用したＩＣレコーダの回路構成図である。
【図２】ＣＰＵに備えられた初期設定変更部及びＴＯＣ書換え部を説明するための図である。
【図３】ＩＣレコーダの外観を概略的に表した図である。
【図４】液晶表示パネルの構成を説明するための図である。
【図５】ＩＣレコーダの初期設定を変更する場合の処理について説明するための図である。
【図６】シークレット設定モードにおけるシークレット機能の設定及び解除のための処理を説明するための図である。
【図７】パスワード入力モードにおけるパスワード入力のための処理を説明するための図である。
【符号の説明】
１  ＩＣレコーダ、２  外装筐体、９  半導体メモリ、１０  記録部、２０  再生部、３０  制御部、４０  表示部、４１  液晶表示パネル、５０  操作部、５１  ファイルボタン、５２  メニューボタン、６０  ジョグダイヤル
【図１】
0004019459.tif 000002
【図２】
0004019459.tif 000003
【図３】
0004019459.tif 000004
【図４】
0004019459.tif 000005
【図５】
0004019459.tif 000006
【図６】
0004019459.tif 000007
【図７】
0004019459.tif 000008